【手続補正書】
【提出日】平成20年12月9日(2008.12.9)
【手続補正１】
【補正対象書類名】特許請求の範囲
【補正対象項目名】全文
【補正方法】変更
【補正の内容】
【特許請求の範囲】
【請求項１】
一対のスピーカユニットと、
前記一対のスピーカユニットのそれぞれの振動板の前後から出る音が混合可能なように、前記一対のスピーカユニットを、バッフル板に取り付けることなく、リスナの耳の近傍に配置するように保持する保持手段と、
前記一対のスピーカユニットで音響再生したときに、リスナが他のスピーカ装置から音声が放音されたように聴取するように入力音声信号を仮想音源処理して、前記一対のスピーカユニットに供給する音声信号出力手段と、
を備える音響再生システム。
【請求項２】
請求項１に記載の音響再生システムであって、
前記入力音声信号はマルチチャンネルサラウンド音声のうちの後方チャンネルの音声信号であり、
前記音声信号出力手段は、前記後方チャンネルの音声信号を前記一対のスピーカユニットで音響再生したときに、リスナの後方に配置されたスピーカ装置から音声が放音されたように聴取するように、前記後方チャンネルの音声信号を仮想音源処理して、前記一対のスピーカユニットに供給する
音響再生システム。
【請求項３】
請求項２に記載の音響再生システムであって、
前記スピーカユニットは、前記マルチチャンネルサラウンド音声の低域音声信号が供給される
音響再生システム。
【請求項４】
請求項１に記載の音響再生システムであって、
前記入力音声信号はマルチチャンネルサラウンド音声のうちの前方チャンネルの音声信号であり、
前記音声信号出力手段は、前記前方チャンネルの音声信号を前記一対のスピーカユニットで音響再生したときに、リスナの前方に配置されたスピーカ装置から音声が放音されたように聴取するように、前記前方チャンネルの音声信号を仮想音源処理して、前記一対のスピーカユニットに供給する
音響再生システム。
【請求項５】
請求項４に記載の音響再生システムであって、
前記スピーカユニットは、前記マルチチャンネルサラウンド音声の低域音声信号が供給される
音響再生システム。
【請求項６】
請求項１に記載の音響再生システムであって、
前記入力音声信号はマルチチャンネルサラウンド音声のうちの前方チャンネルの音声信号および後方チャンネルの音声信号であり、
前記音声信号出力手段は、前記前方チャンネルの音声信号を前記一対のスピーカユニットで音響再生したときに、リスナの前方に配置されたスピーカ装置から音声が放音されたように聴取するように、前記前方チャンネルの音声信号を仮想音源処理して、前記一対のスピーカユニットに供給すると共に、前記後方チャンネルの音声信号を前記一対のスピーカユニットで音響再生したときに、リスナの後方に配置されたスピーカ装置から音声が放音されたように聴取するように、前記後方チャンネルの音声信号を仮想音源処理して、前記一対のスピーカユニットに供給する
音響再生システム。
【請求項７】
請求項６に記載の音響再生システムであって、
前記スピーカユニットは、前記マルチチャンネルサラウンド音声の低域音声信号が供給される
音響再生システム。
【請求項８】
請求項１に記載の音響再生システムにおいて、
前記保持手段により、前記スピーカユニットが、リスナが座る椅子に取り付けられてなる
音響再生システム。
【請求項９】
請求項１に記載の音響再生システムにおいて、
前記一対のスピーカユニットは、少なくとも、リスナの左右の耳に対向して設けられる
音響再生システム。
【請求項１０】
請求項９に記載の音響再生システムにおいて、
前記一対のスピーカユニットは、前記保持手段により、リスナの顔面よりも後方の空間範囲に配置される
音響再生システム。
【請求項１１】
請求項４に記載の音響再生システムにおいて、
前記保持手段により、前記マルチチャンネルサランド音声の内の、後方チャンネルの音声信号用スピーカがさらに保持される
音響再生システム。
【請求項１２】
一対のスピーカユニットのそれぞれの振動板の前後から出る音が混合可能なように、前記一対のスピーカユニットを、バッフル板に取り付けることなく、リスナの耳の近傍に配置し、
前記一対のスピーカユニットで音響再生したときに、リスナが他のスピーカ装置から音声が放音されたように聴取するように入力音声信号を仮想音源処理して、前記一対のスピーカユニットに供給する
音響再生方法。
【請求項１３】
請求項１２に記載の音響再生方法であって、
前記入力音声信号はマルチチャンネルサラウンド音声のうちの後方チャンネルの音声信号であり、
前記後方チャンネルの音声信号を前記一対のスピーカユニットで音響再生したときに、リスナの後方に配置されたスピーカ装置から音声が放音されたように聴取するように、前記後方チャンネルの音声信号を仮想音源処理して、前記一対のスピーカユニットに供給する
音響再生方法。
【請求項１４】
請求項１３に記載の音響再生方法であって、
前記スピーカユニットは、前記マルチチャンネルサラウンド音声の低域音声信号が供給される
音響再生方法。
【請求項１５】
請求項１２に記載の音響再生方法であって、
前記入力音声信号はマルチチャンネルサラウンド音声のうちの前方チャンネルの音声信号であり、
前記前方チャンネルの音声信号を前記一対のスピーカユニットで音響再生したときに、リスナの前方に配置されたスピーカ装置から音声が放音されたように聴取するように、前記前方チャンネルの音声信号を仮想音源処理して、前記一対のスピーカユニットに供給する
音響再生方法。
【請求項１６】
請求項１５に記載の音響再生方法であって、
前記スピーカユニットは、前記マルチチャンネルサラウンド音声の低域音声信号が供給される
音響再生方法。
【請求項１７】
請求項１２に記載の音響再生方法であって、
前記入力音声信号はマルチチャンネルサラウンド音声のうちの前方チャンネルの音声信号および後方チャンネルの音声信号であり、
前記前方チャンネルの音声信号を前記一対のスピーカユニットで音響再生したときに、リスナの前方に配置されたスピーカ装置から音声が放音されたように聴取するように、前記前方チャンネルの音声信号を仮想音源処理して、前記一対のスピーカユニットに供給すると共に、前記後方チャンネルの音声信号を前記一対のスピーカユニットで音響再生したときに、リスナの後方に配置されたスピーカ装置から音声が放音されたように聴取するように、前記後方チャンネルの音声信号を仮想音源処理して、前記一対のスピーカユニットに供給する
音響再生方法。
【請求項１８】
請求項１７に記載の音響再生方法であって、
前記スピーカユニットは、前記マルチチャンネルサラウンド音声の低域音声信号が供給される
音響再生方法。
【手続補正２】
【補正対象書類名】明細書
【補正対象項目名】０００３
【補正方法】変更
【補正の内容】
【０００３】
５．１チャンネル方式の音響再生システムでは、リスナの前方（以下フロントという）、リスナの正面（以下センターという）、リスナの後方（以下リアという）、低域専用と、４種類のスピーカが必要で、低域専用のスピーカであるサブウーハは、本来、１００Ｈｚ以下の帯域をモノラルで受け持っている。その他のスピーカは、１００Ｈｚから２０ｋＨｚの帯域を受け持つ。
【手続補正３】
【補正対象書類名】明細書
【補正対象項目名】００１２
【補正方法】変更
【補正の内容】
【００１２】
このため、サブウーハから音が再生されたときに、隣の部屋はもちろん、上下の部屋まで音が届いて迷惑をかけるおそれがある。特に低い帯域の音ほど遮音が難しく、サブウーハの使用は、日本の住宅事情では大きな問題であり、せっかくの５．１チャンネルの音響再生システムも、充分使いきることが出来ない現状がある。
【手続補正４】
【補正対象書類名】明細書
【補正対象項目名】００１９
【補正方法】変更
【補正の内容】
【００１９】
上記の課題を解決するために、この発明は、
一対のスピーカユニットと、
前記一対のスピーカユニットのそれぞれの振動板の前後から出る音が混合可能なように、前記一対のスピーカユニットを、バッフル板に取り付けることなく、リスナの耳の近傍に配置するように保持する保持手段と、
前記一対のスピーカユニットで音響再生したときに、リスナが他のスピーカ装置から音声が放音されたように聴取するように入力音声信号を仮想音源処理して、前記一対のスピーカユニットに供給する音声信号出力手段と、
を備える音響再生システムを提供する。
【手続補正５】
【補正対象書類名】明細書
【補正対象項目名】００５５
【補正方法】変更
【補正の内容】
【００５５】
すなわち、センターチャンネルの音声信号Ｃは、フロント左右２チャンネルの音声信号ＬおよびＲにそれぞれ加算して、スピーカ１１ＦＬ，１１ＦＲのそれぞれに供給して、これらスピーカ１１ＦＬ，１１ＦＲにより音響再生するようにする。
また、リア左チャンネルの音声信号ＲＬは仮想音源処理した音声信号ＲＬ＊とし、リスナ４の左耳に対向するスピーカ１１ＳＷ１に供給して音響再生する。さらに、リア右チャンネルの音声信号ＲＲは仮想音源処理した音声信号ＲＲ＊とし、リスナ４の右耳に対向するスピーカ１１ＳＷ２に供給して音響再生する。
【手続補正６】
【補正対象書類名】図面
【補正対象項目名】図６
【補正方法】変更
【補正の内容】
【図６】
2006345480.tif 000001
【手続補正７】
【補正対象書類名】図面
【補正対象項目名】図１４
【補正方法】変更
【補正の内容】
【図１４】
2006345480.tif 000002